(57)【要約】【課題】簡単な操作で柄の収納凹部に収納された小形清掃具の取り出しを確実・容易に行うことができるとともに、そのための構成を利用して小形清掃具の把持安定化と清掃力の付与容易化とを図る。【解決手段】グリップ部３と清掃部２とを備えた柄１に、該柄１の一側面に開口する状態で小形清掃具６用の収納凹部７が形成され、この収納凹部７とこれに収納された小形清掃具６との相対向する部位には、小形清掃具６を収納姿勢で脱着自在に係合保持する係合保持手段８が設けられ、柄１の他側面には、収納凹部７に連通する貫通孔１２が形成され、小形清掃具６には、係合保持手段８の係合力に抗して収納姿勢にある小形清掃具６を押し出すための係合解除突起１３が、貫通孔１２を通して柄１の他側面側に突出する状態で設けられている。【選択図】図６
2011010956.tif 000002
【特許請求の範囲】
【請求項１】
グリップ部と清掃部とを備えた柄に、該柄の一側面に開口する状態で小形清掃具用の収納凹部が形成され、この収納凹部とこれに収納された小形清掃具との相対向する部位には、小形清掃具を収納姿勢で脱着自在に係合保持する係合保持手段が設けられている清掃具であって、
前記柄の他側面には、前記収納凹部に連通する貫通孔が形成されているとともに、前記小形清掃具には、前記係合保持手段の係合力に抗して収納姿勢にある小形清掃具を押し出すための係合解除突起が、前記貫通孔を通して柄の他側面側に突出する状態で設けられている清掃具。
【請求項２】
前記収納凹部が柄の下面に開口形成されているとともに、前記貫通孔が柄の上面に開口形成されている請求項１記載の清掃具。
【請求項３】
前記小形清掃具が、小清掃部と柄部及びグリップ部とからなり、このグリップ部に前記係合解除突起が形成されている請求項１又は請求項２記載の清掃具。
【請求項４】
前記係合保持手段が、小形清掃具の小清掃部の先端と収納凹部との相対向する部位に形成された第１係合部と、小形清掃具のグリップ部の側面と収納凹部との相対向する部位に形成された第２係合部とから構成されている請求項３記載の清掃具。
【請求項５】
前記柄の収納凹部には、これに収納される小形清掃具の柄部と当接することにより該小形清掃具の小清掃部が前記収納凹部の底面に圧接されない収納位置に規制するリブが突出形成されている請求項３又は４記載の清掃具。
【請求項６】
前記小形清掃具の小清掃部が多数のブラシ毛群からなるブラシ部であり、このブラシ部のブラシ毛群の先端清掃面が、グリップ部側ほどブラシ毛長さが長くなる傾斜面に構成されている請求項３〜５のいずれか１項に記載の清掃具。
【発明の詳細な説明】
【技術分野】
【０００１】
本発明は、浴室用洗浄ブラシや洗車ブラシ等の清掃具で、詳しくは、グリップ部と清掃部とを備えた柄に、該柄の一側面に開口する状態で小形清掃具用の収納凹部が形成され、この収納凹部とこれに収納された小形清掃具との相対向する部位には、小形清掃具を収納姿勢で脱着自在に係合保持する係合保持手段が設けられている清掃具に関する。
【背景技術】
【０００２】
この種の清掃具においては、例えば、風呂蓋の溝やタイルの目地など、本来の清掃部では清掃不能又は清掃に手間取る狭い箇所を清掃する必要が生じたとき、その清掃作業を柄の一側面に開口する収納凹部に装備されている小形清掃具を用いて迅速・容易に行うことができる利点がある。
【０００３】
上述の利点を有する清掃具において、従来では、前記小形清掃具の柄が、前記柄の収納凹部内に収まる大きさで薄肉の長円形状に構成されているとともに、前記柄の後部には、前記収納凹部に連通する吊下げ係止用の貫通孔が、その周縁の一部に収納された小形清掃具の柄の後端が臨む状態で形成され、前記柄の両側面板部のうち、前記貫通孔の形成箇所に対応する部位が、前記収納凹部の深さの半分に相当する高さ位置にまで切欠き形成されている。
【０００４】
そして、前記柄の収納凹部に収納された小形清掃具を取り出す場合には、前記貫通孔を通して柄の後端を手指で開口側に押し出し操作することにより、小形清掃具を前記係合保持手段の係合力に抗して柄の収納凹部から取り出すように構成されている（特許文献１参照）。
【先行技術文献】
【特許文献】
【０００５】
【特許文献１】実開昭５６−８８４６０号公報
【発明の概要】
【発明が解決しようとする課題】
【０００６】
従来の清掃具では、前記柄の両側面板部における貫通孔形成箇所に対応する部位が収納凹部の深さの半分に相当する高さ位置にまで切欠き形成されているものの、前記収納された小形清掃具の柄の後端が貫通孔の周縁の一部に臨むだけであるため、柄の収納凹部に収納された小形清掃具の取り出しに手間取り易い。
【０００７】
しかも、前記小形清掃具の柄が、前記収納凹部内に収まる大きさで薄肉の長円板状に構成されているため、小形清掃具の柄の把持が不安定になり、力強い清掃力を付与することができない。
【０００８】
本発明は、上述の実状に鑑みて為されたものであって、その主たる課題は、簡単な操作で柄の収納凹部に収納された小形清掃具の取り出しを確実・容易に行うことができるとともに、そのための構成を利用して小形清掃具の把持安定化と清掃力の付与容易化とを図ることのできる清掃具を提供する点にある。
【課題を解決するための手段】
【０００９】
本発明による第１の特徴構成は、グリップ部と清掃部とを備えた柄に、該柄の一側面に開口する状態で小形清掃具用の収納凹部が形成され、この収納凹部とこれに収納された小形清掃具との相対向する部位には、小形清掃具を収納姿勢で脱着自在に係合保持する係合保持手段が設けられている清掃具であって、
前記柄の他側面には、前記収納凹部に連通する貫通孔が形成されているとともに、前記小形清掃具には、前記係合保持手段の係合力に抗して収納姿勢にある小形清掃具を押し出すための係合解除突起が、前記貫通孔を通して柄の他側面側に突出する状態で設けられている点にある。
【００１０】
上記構成によれば、前記柄の収納凹部に収納された小形清掃具を取り出す場合、前記柄の他側面に形成された貫通孔を通して突出している小形清掃具の係合解除突起を押し込み操作することにより、収納されている小形清掃具を係合保持手段の係合力に抗して収納凹部から柄の一側面側に確実、スムーズに押し出すことができる。
【００１１】
しかも、前記係合解除突起は小形清掃具の長手方向に対して交差する方向に比較的大きく突出しているから、小形清掃具を把持したときに指が係合解除突起に引っ掛かって把持が安定するとともに、大きな操作力も容易に加えることができる。
【００１２】
したがって、前記柄の他側面側に突出する係合解除突起の押し込みといった簡単な操作で柄の収納凹部に収納された小形清掃具の取り出しを確実・容易に行うことができるとともに、そのための係合解除突起を利用して小形清掃具の把持の安定化と清掃力の付与容易化とを図ることができる。
【００１３】
本発明による第２の特徴構成は、前記収納凹部が柄の下面に開口形成されているとともに、前記貫通孔が柄の上面に開口形成されている点にある。
【００１４】
上記構成によれば、前記柄の収納凹部に収納された小形清掃具を取り出す場合、前記柄を把持した一方の手の指操作で係合解除突起を押し込むことができるから、小形清掃具の取り出しを容易に行うことができる。しかも、前記小形清掃具は押し込み操作力と自重落下とによって下方にスムーズに取り出すことができる。
【００１５】
本発明による第３の特徴構成は、前記小形清掃具が、小清掃部と柄部及びグリップ部とからなり、このグリップ部に前記係合解除突起が形成されている点にある。
【００１６】
上記構成によれば、前記柄の収納凹部に収納された小形清掃具を取り出す場合、前記柄の貫通孔を通して突出している小形清掃具のグリップ部側の係合解除突起を押し込み操作することにより、収納されている小形清掃具を小清掃部側を回動支点として収納凹部からスムーズに押し出すことができる。
【００１７】
本発明による第４の特徴構成は、前記係合保持手段が、小形清掃具の小清掃部の先端と収納凹部との相対向する部位に形成された第１係合部と、小形清掃具のグリップ部の側面と収納凹部との相対向する部位に形成された第２係合部とから構成されている点にある。
【００１８】
上記構成によれば、前記柄の収納凹部に収納された小形清掃具を取り出す場合、前記小形清掃具のグリップ部側の係合解除突起を押し込み操作すると、小形清掃具のグリップ部の側面と収納凹部との相対向する部位に形成された第２係合部が係合解除され、小清掃部の先端と収納凹部との相対向する部位に形成された第１係合部を回動支点として小形清掃具を収納凹部からスムーズに押し出すことができる。
【００１９】
本発明による第５の特徴構成は、前記柄の収納凹部に、これに収納される小形清掃具の柄部と当接することにより該小形清掃具の小清掃部が前記収納凹部の底面に圧接されない収納位置に規制するリブが突出形成されている点にある。
【００２０】
上記構成によれば、前記柄の収納凹部に設けられる補強用のリブを利用して、収納凹部に収納される小形清掃具の小清掃部の収納位置を、収納凹部の底面に圧接されない位置に規制することにより、小形清掃具の小清掃部の変形を抑制することができる。
【００２１】
本発明による第６の特徴構成は、前記小形清掃具の小清掃部が多数のブラシ毛群からなるブラシ部であり、このブラシ部のブラシ毛群の先端清掃面が、グリップ部側ほどブラシ毛長さが長くなる傾斜面に構成されている点にある。
【００２２】
上記構成によれば、前記小清掃部を構成するブラシ部のブラシ毛群のブラシ毛長さの差を利用して細溝やコーナー部等を効率良く清掃することができる。
【図面の簡単な説明】
【００２３】
【図１】本発明の第１実施形態の清掃具を示す斜視図
【図２】ピンセット及び小形清掃具を取り外したときの分解斜視図
【図３】清掃具の要部の分解状態での断面側面図
【図４】清掃具の要部の分解状態での平面図
【図５】清掃具の要部の断面側面図
【図６】図５におけるＶＩ−ＶＩ線断面図
【図７】図５におけるＶＩＩ−ＶＩＩ線断面図
【図８】図５におけるＶＩＩＩ−ＶＩＩＩ線断面図
【図９】図５におけるＩＸ−ＩＸ線断面図
【図１０】図５におけるＸ−Ｘ線断面図
【発明を実施するための形態】
【００２４】
〔第１実施形態〕
図１〜図１０は、清掃具の一例である浴室用洗浄ブラシを示し、合成樹脂製の柄１の先端側に、清掃部の一例である多数のブラシ毛２ａを備えた合成樹脂製のブラシ部２が備えられ、前記柄１の後端側には合成樹脂製のグリップ３が備えられている。
【００２５】
前記柄１の前端部は、図１〜図４に示すように、横断面形状が正方形の角筒状の接続筒部１Ａに構成され、前記柄１の中間部は、下方側（一側面側の一例）に開口する横断面形状がコの字状の中空柄部１Ｂに構成され、前記柄１の後部は、前記中空柄部１Ｂの左右方向の幅Ｗ１及び上下方向の幅（厚み）Ｔ１よりも大きな左右方向幅Ｗ２と最大上下方向幅（最大厚み）Ｔ２を有し、且つ、左右方向幅Ｗ２が上下方向幅（厚み）Ｔ２よりも大となる寸法関係で一体形成された横長筒状（横断面形状が隅丸の長方形筒状）のグリップ３に構成されている。
【００２６】
前記ブラシ部Ｂは、図1〜図3に示すように、多数のブラシ毛２ａを植設してある植毛基板２Ａの上面に、前記柄１の接続筒部１Ａと同じ横断面形状の角筒状の柄接続筒体２Ｂが一体的に突出形成され、この柄接続筒体２Ｂの先端には、前記柄１の接続筒部１Ａに先端側から嵌合して該接続筒部１Ａに形成されている係止片４に抜止め状態で係合する係止爪（図示せず）が一体形成されているとともに、前記植毛基板２Ａの外周面に形成された周溝には、外側方に突出する環状の弾性緩衝体５が装着されている。
【００２７】
そして、図1〜図６に示すように、前記柄１の中空柄部１Ｂに形成されている下向き開口の凹部の大部分が、小形清掃具の一例である小形洗浄ブラシ６をそれのブラシ毛群６ａが上方に向く姿勢で収納する収納凹部７に形成され、この収納凹部７とこれに収納された小形洗浄ブラシ６との相対向する部位には、小形洗浄ブラシ６を収納姿勢で脱着操作自在に係合保持する第１係合保持手段８が設けられているとともに、前記グリップ部３にはピンセット１０が脱着自在に装着され、この装着されたピンセット１０を引き抜き操作可能な状態で係合保持する第２係合保持手段１１が設けられている。
【００２８】
前記小形洗浄ブラシ６は、中空柄部１Ｂの収納凹部７の幅よりも小なる幅に構成された合成樹脂製の柄部６Ｂの先端部に多数のブラシ毛群６ａを植設して、小清掃部の一例である小ブラシ部６Ａが構成されているとともに、前記柄部６Ｂの後端部の上下方向幅を広幅に形成してグリップ部６Ｃに構成されている。
【００２９】
前記小ブラシ部６Ａのブラシ毛群６ａの先端清掃面６ｂは、グリップ部６Ｃ側ほどブラシ毛長さが長くなる傾斜面に構成されている。
【００３０】
前記柄１の中空柄部１Ｂを構成する上面板部１ａと左右一対の側面板部１ｂのうち、前記上面板部１ａにおける小形洗浄ブラシ６のグリップ部６Ｃに対応する部位には、前記収納凹部７に連通する貫通孔１２が形成されているとともに、前記小形洗浄ブラシ６のグリップ部６Ｃの上面には、前記第１係合保持手段８の係合力に抗して収納姿勢にある小形洗浄ブラシ６を下方側に押し出すための係合解除突起１３が、前記貫通孔１２を通して柄１の上方側（他側面側）に突出する状態で一体形成されている。
【００３１】
そして、前記柄１の中空柄部１Ｂの収納凹部７に収納された小形洗浄ブラシ６を取り出す場合、前記柄１のグリップ部６Ｃを把持した一方の手の親指操作で係合解除突起１３を下方に押し込み操作することにより、収納凹部７に収納されている小形洗浄ブラシ６を第１係合保持手段８の係合力に抗して柄１の下面側（一側面側）に確実、スムーズに押し出すことができる。
【００３２】
しかも、前記係合解除突起１３は小形洗浄ブラシ６の長手方向に対して交差方向である下方側に比較的大きく突出しているから、小形洗浄ブラシ６を把持したときに指が係合解除突起１３に引っ掛かって把持が安定するとともに、大きな操作力も容易に加えることができる。
【００３３】
また、図３〜図５、図９に示すように、前記中空柄部１Ｂの上面板部１ａの内面における貫通孔１２の周縁には補強筒部１４が一体的に突出形成されているとともに、前記中空柄部１Ｂの上面板部１ａの内面における小形洗浄ブラシ６の小ブラシ部６Ａ側に偏倚した部位には、収納凹部７に収納される小形洗浄ブラシ６の柄部６Ｂと当接することにより該小形洗浄ブラシ６の小ブラシ部６Ａが前記上面板部１ａの内面に強く圧接されない収納位置、当該実施形態では、ブラシ毛群６ａの最もブラシ毛長さが長い部位が上面板部１ａの内面に軽く接触する収納位置に規制する補強用のリブ１５が一体的に突出形成されている。
【００３４】
前記柄１の収納凹部７に設けられる補強用のリブ１５を利用して、収納凹部７に収納される小形洗浄ブラシ６の小ブラシ部６Ａの収納位置を、収納凹部７の底面である上面板部１ａの内面に強く圧接されない位置に規制することにより、小形洗浄ブラシ６の小ブラシ部６Ａの変形を抑制することができる。
【００３５】
前記第１係合保持手段８は、小形洗浄ブラシ６の小ブラシ部６Ａの先端面と収納凹部７との相対向する部位に形成された第１係合部８Ａと、小形洗浄ブラシ６のグリップ部６Ｃの側面と収納凹部７との相対向する部位に形成された第２係合部８Ｂとから構成されている。
【００３６】
前記第１係合部８Ａを構成するに、図３〜図６、図１０に示すように、前記小ブラシ部６Ａの先端面に半円柱状の第１係止突起８ａを一体的に突出形成するとともに、前記収納凹部７の底面である上面板部１ａの内面には、前記中空柄部１Ｂを構成する両側面板部１ｂとの間にスリット状の空隙を形成する状態で柄長手方向に弾性変形可能な係止板８ｂを一体的に突出形成し、この係止板８ｂには、前記小ブラシ部６Ａの先端面の係止突起８ａと係合する半円柱状の第２係止突起８ｃを一体的に突出形成して構成されている。
【００３７】
前記第２係合部８Ｂを構成するに、小形洗浄ブラシ６のグリップ部６Ｃの左右両側面に半球状の第３係止突起８ｄを一体的に突出形成するとともに、前記中空柄部１Ｂを構成する両側面板部１ｂの内面には、前記収納凹部７に対する小形洗浄ブラシ６の押し込み装着操作力で前記第３係止突起８ｄが係合する係止凹部８ｅを窪み形成して構成されている。
【００３８】
前記柄１の収納凹部７に収納された小形洗浄ブラシ６を取り出す場合、前記小形洗浄ブラシ６のグリップ部６Ｃ側の係合解除突起１３を下方に押し込み操作すると、小形洗浄ブラシ６のグリップ部６Ｃの左右両側面と収納凹部７に臨む両側面板部１ｂの内面との相対向する部位に形成された第２係合部８Ｂの第３係止突起８ｄと係止凹部８ｅとの係合が解除され、小ブラシ部６Ａの先端面と収納凹部７内に突設された係止板８ｂとの相対向する部位に形成された第１係合部８Ａの第１係止突起８ａと第２係止突起８ｃとの係合箇所を回動支点として小形洗浄ブラシ６を回動させながら収納凹部７からスムーズに押し出すことができる。
【００３９】
次に、図１〜図５、図７、図８に示すように、前記柄１のグリップ部３の相対向する両側面、つまり、グリップ部３の上下方向（厚み方向）で相対向する上面板部３Ａ及び下面板部３Ｂには、前記ピンセット１０の構成部材である左右一対の挾持操作板部１０Ａと、当該両挾持操作板部１０Ａの基端側に連続して一体成形される略Ｕ字状の繋ぎ部１０Ｂとのうち、前記両挾持操作板部１０Ａにおける装着領域の輪郭形状、つまり、当該実施形態では両挾持操作板部１０Ａの全体の輪郭形状に対応する略三角形状の装着凹部２０が、上下方向に貫通し且つ後方側に開口する状態で形成されている。
【００４０】
前記ピンセット１０の両挾持操作板部１０Ａには、前記グリップ部３の上面板部３Ａ及び下面板部３Ｂの各内面における装着凹部２０の開口周縁部分との摺接によって前記両挾持操作板１０Ａの外面がグリップ部３における上面板部３Ａの上側面及び下面板部３Ｂの下側面と面一又は略面一になる状態で装着案内する略Ｖ字状の小幅フランジ状の装着ガイド部２１が形成されている。
【００４１】
そして、前記ピンセット１０の中でも広い表面積を有する両挾持操作板部１０Ａが、グリップ部３の中でも広い表面積を有する上面板部３Ａ及び下面板部３Ｂに形成された装着凹部２０に嵌り込んで、グリップ部３の表面の一部を構成しているから、グリップ部３に装着した状態でのピンセット１０の把持面積が大きくなり、両指を広く当て付けた状態で容易に挾持することができる。
【００４２】
さらに、前記グリップ部３の両装着凹部２０にピンセット１０を装着するとき、ピンセット１０の両挾持操作板部１０Ａの外周縁に沿って設けた略Ｖ字状の装着ガイド部２１が前記グリップ部３の上面板部３Ａ及び下面板部３Ｂの各内面における装着凹部２０の開口周縁部分に摺接して所定の装着位置に確実に装着案内することができるから、ピンセット１０の脱着操作がスムーズになるとともに、ピンセット１０の両挾持操作板１０Ａの外面がグリップ部３における上面板部３Ａの上側面及び下面板部３Ｂの下側面と面一又は略面一で連続するから、浴室用洗浄ブラシのグリップ部３を違和感なく安定的に把持することができるものでありながらピンセット１０を体裁良く収納することができる。
【００４３】
前記グリップ部３の内部には、吊下げ孔２２を後端側に備えた合成樹脂製のグリップ補強体２３が、前記両装着凹部２０間を通してグリップ部３の後端よりも後方側に突出する状態で設けられている。
【００４４】
このグリップ補強体２３の先端部には、前記下面板部３Ｂの先端に上下方向に弾性変形可能な状態で一体形成された係止板片２４とこれに相対向する上面板部３Ａの内面に突出形成された係止突起２５との間を通過した時点で前記係止板片２４の先端に抜止め状態で係合する係合爪２６が一体形成されているとともに、前記グリップ補強体２３には、ピンセット１０の両挾持操作板部１０Ａの内面との摺接によって装着案内する装着ガイドリブ２７と、前記グリップ部３の左右方向で相対向する両側面板部３Ｃの内面に形成された条溝２８に柄長手方向である前後方向から摺動自在に嵌合する補強リブ２９とが一体形成されている。
【００４５】
前記ピンセット１０の繋ぎ部１０Ｂには、前記グリップ部３の両装着凹部２０にピンセット１０が装着されたとき、前記グリップ部３の両側面板部３Ｃの後端に柄長手方向から当接するストッパー用端縁１０ｂが形成されているとともに、このストッパー用端縁１０ｂには、上下の装着ガイド部２１の後端に連続する補助フランジ部２１Ａが一体形成されている。
【００４６】
前記ピンセット１０の繋ぎ部１０Ｂの左右両側面には、グリップ部３の両装着凹部２０への装着時に前記グリップ補強体２３の吊下げ孔２２に連通する該吊下げ孔２２よりも大径の貫通孔３０が形成され、この両貫通孔３０の内周面１０ａが、繋ぎ部１０Ｂの外面側ほど大径に構成されているとともに、前記ピンセット１０の繋ぎ部１０Ｂが後端部側ほど厚みが薄くなる先細り形状に形成されている。
【００４７】
そのため、前記グリップ部３の両装着凹部２０にピンセット１０を装着するとき、或いは、グリップ部３の両装着凹部２０に装着されているピンセット１０を抜き出すとき、ピンセット１０の繋ぎ部１０Ｂに設けた両貫通孔３０に両指を当て付けると、指の一部が両貫通孔３０内に入り込んで係合力が増すから、両指による挾持力が弱い人でもピンセット１０を容易に脱着操作することができる。
【００４８】
さらに、前記ピンセット１０の繋ぎ部１０Ｂに設けた両貫通孔３０に両指を当て付ける際、この繋ぎ部１０Ｂが後端部側ほど厚みが薄くなる先細り形状に形成されているため、両指でピンセット１０の繋ぎ部１０Ｂを挟み易く、しかも、前記両貫通孔３０の内周面１０ａが繋ぎ部１０Ｂの外面側ほど大径に構成されているため、両貫通孔３０に対する当りもソフトになり、ピンセット１０の脱着操作の迅速化、容易化を促進することができる。
【００４９】
前記第２係合保持手段１１を構成するに、前記ピンセット１０の両装着ガイド部２１における先端側の三角状の挾持部位には半球状の係止突起１１ａを一体的に突出形成するとともに、前記グリップ部３の両上面板部３Ａの内面には、グリップ部３の上面板部３Ａ及び下面板部３Ｂに形成された装着凹部２０に対して前記ピンセット１０の両挾持操作板部１０Ａを所定装着位置にまで装着したとき、当該ピンセット１０の両挾持操作板部１０Ａによる対向面方向での弾性変形で前記係止突起１１ａが係合する半球状の係止凹部１１ｂが形成されている。
【００５０】
〔その他の実施形態〕
（１）上述の実施形態では、前記柄１の中空柄部１Ｂの収納凹部７に小形洗浄ブラシ６を収納いたとき、ブラシ毛群６ａの最もブラシ毛長さが長い部位が上面板部１ａの内面に微小に接触する収納位置に補強用リブ１５で規制するように構成したが、この補強用リブ１５の突出代を少し長くして、ブラシ毛群６ａの先端清掃面６ｂが上面板部１ａの内面に接触しない収納位置に規制するように構成してもよい。
【００５１】
（２）上述の実施形態では、前記グリップ部３を、左右方向の幅が上下方向幅（厚み）よりも大となる横断面形状が横長筒状（横断面形状が隅丸の長方形筒状）に形状して、広い表面積を有する上面板部３Ａ及び下面板部３Ｂに装着凹部２０を形成したが、前記グリップ部３が、横断面形状が正方形又は略正方形となる角筒状或いは横断面形状が円形又は略円形となる円筒状に構成されている場合には、上下方向や左右方向等など使用勝手の良い方向で相対向する両側面に装着凹部２０を形成してもよい。
【００５２】
（３）前記第１係合保持手段８としては、柄１の収納凹部７とこれに収納された小形洗浄ブラシ６との相対向する部位に、小形洗浄ブラシ６を収納姿勢で脱着自在に係合保持することのできるものであれば、如何なる構造のものを用いて実施してもよい。
【００５３】
（４）前記第２係合保持手段１１としては、グリップ部３の装着凹部２０に装着されたピンセット１０を引き抜き操作可能な状態で係合保持することのできるものであれば、如何なる構造のものを用いて実施してもよい。
【００５４】
（５）上述の実施形態では、前記小ブラシ部６Ａのブラシ毛群６ａの先端清掃面６ｂを、グリップ部６Ｃ側ほどブラシ毛長さが長くなる傾斜面に構成したが、小ブラシ部６Ａの先端側ほどブラシ毛長さが長くなる傾斜面に構成してもよく、さらに、柄部６Ｂの長手方向でブラシ毛長さが同一又は略同一となる平行面に構成してもよい。
【００５５】
（６）上述の実施形態では、前記柄１の中空柄部１Ｂに形成されている下向き開口の凹部の大部分を、小形清掃具の一例である小形洗浄ブラシ６を収納する収納凹部７に形成したが、前記柄１が長くなるか、若しくは、前記小形清掃具６が短くなれば、下向き開口の凹部の一部を収納凹部７に形成することになる。
【００５６】
（７）上述の実施形態では、前記グリップ部３の上面板部３Ａ及び下面板部３Ｂに、前記ピンセット１０の両挾持操作板部１０Ａにおける装着領域の輪郭形状に対応する略三角形状の装着凹部２０を、上下方向に貫通し且つ後方側に開口する状態で形成したが、前記グリップ部３の厚みがピンセット１０の両挾持操作板部１０Ａの厚みよりも大である場合には、前記装着凹部２０を上下方向で貫通しない溝状に構成してもよい。
【００５７】
（８）上述の実施形態では、清掃具の清掃部２及び小形清掃具６の小清掃部６Ａをブラシ部から構成したが、スポンジや不織布等から構成してもよい。
【符号の説明】
【００５８】
１      柄
２      清掃部（ブラシ部）
３      グリップ部
６      小形清掃具（小形洗浄ブラシ）
６Ａ    小清掃部（小ブラシ部）
６Ｂ    柄部
６Ｃ    グリップ部
６ａ    ブラシ毛群
６ｂ    先端清掃面
７      収納凹部
８      係合保持手段（第１係合保持手段）
８Ａ    第１係合部
８Ｂ    第２係合部
１２    貫通孔
１３    係合解除突起
１５    リブ
【図１】
2011010956.tif 000003
【図２】
2011010956.tif 000004
【図３】
2011010956.tif 000005
【図４】
2011010956.tif 000006
【図５】
2011010956.tif 000007
【図６】
2011010956.tif 000008
【図７】
2011010956.tif 000009
【図８】
2011010956.tif 000010
【図９】
2011010956.tif 000011
【図１０】
2011010956.tif 000012